(57)【要約】  【課題】  ドレン水を多段配置の蒸発皿に受けて処理する冷却庫において、ドレン水の強制蒸発構造を合理化する。  【解決手段】  冷却庫１は、スターリング冷凍機５０の吸熱部５２に熱接続する二次冷媒循環回路７０の低温側蒸発器７２を冷却器として庫内を冷却する。低温側蒸発器７２からのドレン水を受ける蒸発皿１３１はドレン水を最初に受ける第１の蒸発皿１３１ａと、第１の蒸発皿１３１ａから溢れたドレン水を受ける、取り外し可能な第２の蒸発皿１３１ｂとに分割されている。第１の蒸発皿１３１ａには、強制蒸発手段として結露防止配管１１０及び送風機１３３が配設されている。第１の蒸発皿１３１ａの前端には第２の蒸発皿１３１ｂにドレン水を注ぐオーバーフロー部１３２があり、ドレン浮遊物はそこに集められる。【選択図】      図１
2006138492.tif 000002
【特許請求の範囲】
【請求項１】
冷却器などからのドレン水を蒸発皿に受けて蒸発させる冷却庫のドレン水蒸発装置において、
前記蒸発皿を、前記ドレン水を最初に受ける第１の蒸発皿と、第１の蒸発皿から溢れたドレン水を受ける第２の蒸発皿に分割し、前記第１の蒸発皿には強制蒸発手段を設けるとともに、前記第２の蒸発皿はこれを冷却庫の前面より取り外し可能としたことを特徴とする冷却庫のドレン水蒸発装置。
【請求項２】
前記第１の蒸発皿の中のドレン水は、第１の蒸発皿の前端に形成したオーバーフロー部より前記第２の蒸発皿に注がれるものであることを特徴とする請求項１に記載の冷却庫のドレン水蒸発装置。
【請求項３】
前記第１の蒸発皿に組み合わされた熱源が前記強制蒸発手段を構成することを特徴とする請求項１又は２に記載の冷却庫のドレン水蒸発装置。
【請求項４】
前記第１の蒸発皿の中のドレン水に風を吹き付ける送風機が前記強制蒸発手段を構成することを特徴とする請求項１又は２に記載の冷却庫のドレン水蒸発装置。
【請求項５】
前記第１の蒸発皿の中のドレン水を攪拌する攪拌手段が前記強制蒸発手段を構成することを特徴とする請求項１又は２に記載の冷却庫のドレン水蒸発装置。
【請求項６】
前記第１の蒸発皿の中のドレン水を攪拌する攪拌手段が前記強制蒸発手段を構成するとともに、この攪拌手段によってドレン水の表面に形成される水流が前記オーバーフロー部に向かうよう設定されていることを特徴とする請求項２に記載の冷却庫のドレン水蒸発装置。
【発明の詳細な説明】
【技術分野】
【０００１】
本発明は、冷却器などからのドレン水を蒸発皿に受けて蒸発させる冷却庫のドレン水蒸発装置に関する。ここで「冷却庫」とは、食品その他の物品の温度を下げる装置全般を指す概念であり、「冷蔵庫」「冷凍庫」「冷凍冷蔵庫」「ショーケース」といった商品としての名称を問わない。
【背景技術】
【０００２】
冷却庫においては、冷却器に付着した霜を適宜タイミングで溶かし、ドレン水として排水する必要がある。また冷却器以外の箇所に付着した結露水もドレン処理する必要がある。ドレン水は集積するにまかせておくと容器から溢れ出し、床を濡らすので、溢れる前に処理しなければならない。その処理にあたり、容器を取り出してドレン水を捨てに行くというのは使用者にとって大変面倒なので、通常はドレン水を蒸発皿で受けて強制的に蒸発させるものとし、使用者の手間の軽減を図っている。
【０００３】
例えば特許文献１に記載された冷却庫では、冷凍機としてスターリング冷凍機を使用し、スターリング冷凍機の廃熱を利用してドレン水を蒸発させている。また特許文献２に記載された低温ショーケースでは、４段の蒸発皿を上下に設置してドレン水を上の蒸発皿から下の蒸発皿へと順次溢出させるものとし、その中で上から２段目と３段目の蒸発皿には加熱手段としてコンプレッサからのホットガスを流す蒸発パイプを設け、最下段の蒸発皿には電気ヒータを取り付けている。
【特許文献１】特開２００２−６２０２１号公報（第６頁−第７頁、図１−図３、図７、図８）
【特許文献２】特開平８−２７８０７６号公報（第３頁−第５頁、図１−図４）
【発明の開示】
【発明が解決しようとする課題】
【０００４】
蒸発皿の中のドレン水を速やかに蒸発させるには、強制蒸発用のエネルギーを少量のドレン水に集中するのが望ましい。そのためには蒸発皿の容積はあまり大きくない方がよい。しかしながら蒸発皿を無闇に小さくすると、一時に大量のドレン水が発生したとき、それが蒸発皿から溢れて床を濡らすおそれがある。
【０００５】
この点特許文献２に開示された蒸発装置は、蒸発皿が多段であるため全体としての容量が大きく、大量のドレン水を受けることが可能である。それにひきかえ蒸発皿１枚あたりの容量は大きくないので、強制蒸発用のエネルギーを少量のドレン水に集中することができる。
【０００６】
しかしながら特許文献２の蒸発装置の場合、２段目以下の蒸発皿には強制蒸発手段としての加熱手段が設けられているものの、最初にドレン水を受ける最上段の蒸発皿には加熱手段は設けられていない。すなわち最初の蒸発皿は、もしここに強制蒸発手段が設けられていたならば、下段の蒸発皿に回るドレン水の量を減らし、全体としてのドレン水受容量を増加できる可能性があるにもかかわらず、単なる中間貯留部としての役割しか与えられていない。
【０００７】
また特許文献２の蒸発装置では、最上段の蒸発皿は着脱可能であるものの、２段目以下の蒸発皿は着脱可能でなく、着脱可能な蒸発皿も上方に取り外す必要があり、蒸発皿を簡単に取り外してドレン水を捨てるという感覚とは程遠かった。しかも、各段の蒸発皿は同一形状のものが上下に整列配置されており、段毎にそれにふさわしい容量を与えるといったものではない。
【０００８】
本発明は上記の点に鑑みなされたものであり、ドレン水を多段配置の蒸発皿に受けて処理するものにおいて、ドレン水の強制蒸発構造を合理化するとともに、使い勝手の向上と、塵埃除去機能の強化を図った冷却庫のドレン水蒸発装置を提供することを目的とする。
【課題を解決するための手段】
【０００９】
上記目的を達成するために本発明は、冷却器などからのドレン水を蒸発皿に受けて蒸発させる冷却庫のドレン水蒸発装置において、前記蒸発皿を、前記ドレン水を最初に受ける第１の蒸発皿と、第１の蒸発皿から溢れたドレン水を受ける第２の蒸発皿に分割し、前記第１の蒸発皿には強制蒸発手段を設けるとともに、前記第２の蒸発皿はこれを冷却庫の前面より引き出して取り外し可能としたことを特徴としている。
【００１０】
この構成によると、第１の蒸発皿で受けたドレン水に強制蒸発のエネルギーが集中するので、ドレン水は速やかに蒸発する。強制蒸発しきれなかったドレン水のみが第２の蒸発皿に受けられるので、全体としてのドレン水収容量にゆとりを持たせることができる。そして第２の蒸発皿は冷却庫の前面より取り外せるから、強制蒸発できなかったドレン水を簡単に処理できる。第１の蒸発皿は冷却庫から引き出し得る構造にする必要がないので、強制蒸発手段を組み合わせるのが容易であり、機構の信頼性も向上する。また、第１の蒸発皿と第２の蒸発皿は必ずしも上下に整列配置することを旨としていないので、第１の蒸発皿及び第２の蒸発皿としてそれぞれの役割にふさわしい大きさを持たせることができる。
【００１１】
そして第１の蒸発皿と第２の蒸発皿とは、後者が前者よりも低く且つ前方に位置する形で配置されていることとすれば、第１の蒸発皿の下と第２の蒸発皿の上とにそれぞれ空間が生じることになり、この空間を様々な構成要素の配置に利用することができる。
【００１２】
また本発明は、上記構成の冷却庫のドレン水蒸発装置において、前記第１の蒸発皿の中のドレン水は、第１の蒸発皿の前端に形成したオーバーフロー部より前記第２の蒸発皿に注がれるものであることを特徴としている。
【００１３】
この構成によると、第１の蒸発皿の中のドレン水の水量を一定以下に保つことができる。またオーバーフロー部の下に第２の蒸発皿を置くだけでドレン水の移動が遂行される。
【００１４】
また本発明は、上記構成の冷却庫のドレン水蒸発装置において、前記第１の蒸発皿に組み合わされた熱源が前記強制蒸発手段を構成することを特徴としている。
【００１５】
この構成によると、熱源でドレン水の水温を上昇させて蒸発を促進するものであるから、強制蒸発手段の構成が簡単で、故障の懸念が少ない。
【００１６】
そして冷却器はスターリング冷凍機の吸熱部を冷熱源とするものであり、このスターリング冷凍機の廃熱を吸収する二次冷媒循環回路が熱源を構成することとすれば、ドレン水が強制蒸発されるのに加え、スターリング冷凍機も廃熱を処理できることになり、冷却庫のエネルギー効率がきわめて良くなる。
【００１７】
また本発明は、上記構成の冷却庫のドレン水蒸発装置において、前記第１の蒸発皿の中のドレン水に風を吹き付ける送風機が前記強制蒸発手段を構成することを特徴としている。
【００１８】
この構成によると、風によりドレン水を効率良く強制蒸発させることができる。また送風機はドレン水に触れないので感電の危険もない。
【００１９】
そして送風機により第１の蒸発皿の中のドレン水に吹き付けられる風が前記オーバーフロー部に向かうよう前記送風機の送風方向が設定すれば、第１の蒸発皿の中のドレン水に浮かんだ塵埃はオーバーフロー部に吹き寄せられ、オーバーフローが生じたときは第２の蒸発皿に流れ落ちるから、第１の蒸発皿を清潔に保つことができる。
【００２０】
また本発明は、上記構成の冷却庫のドレン水蒸発装置において、前記第１の蒸発皿の中のドレン水を攪拌する攪拌手段が前記強制蒸発手段を構成することを特徴としている。
【００２１】
この構成によると、ドレン水を攪拌手段で波立たせてドレン水を効率良く強制蒸発させることができる。
【００２２】
また本発明は、上記構成の冷却庫のドレン水蒸発装置において、前記第１の蒸発皿の中のドレン水を攪拌する攪拌手段が前記強制蒸発手段を構成するとともに、この攪拌手段によってドレン水の表面に形成される水流が前記オーバーフロー部に向かうよう設定されていることを特徴としている。
【００２３】
この構成によると、第１の蒸発皿の中のドレン水に浮かんだ塵埃は攪拌手段が形成した水流によってオーバーフロー部に集められ、オーバーフローが生じたときは第２の蒸発皿に流れ落ちるから、第１の蒸発皿を清潔に保つことができる。
【００２４】
さらに、送風機の生成した風の一部が第２の蒸発皿の中のドレン水にも届くようにすれば、第２の蒸発皿の中のドレン水も風で蒸発が促進され、全体として蒸発が速やかに進む。
【発明の効果】
【００２５】
本発明によると、第１の蒸発皿で受けたドレン水に強制蒸発のエネルギーが集中するので、ドレン水は速やかに蒸発し、強制蒸発しきれなかったドレン水のみが第２の蒸発皿に受けられるので、全体としてのドレン水収容量にゆとりを持たせることができる。また第２の蒸発皿は冷却庫の前面より引き出して取り外せるから、ドレン浮遊物を簡単に処理できる。
【発明を実施するための最良の形態】
【００２６】
以下、本発明の第１実施形態を図１−図６に基づき説明する。図１は冷却庫の垂直断面図、図２は冷却サイクルの概略構成図、図３は二次冷媒の流れ方の説明図、図４は結露防止配管の引き回し形態を説明する斜視図、図５は蒸発皿の上面図、図６は蒸発皿の中のドレン水に生じる水流について説明する上面図である。
【００２７】
冷却庫１は食品保存用であり、断熱筐体１０が本体を構成する。断熱筐体１０の内部は水平仕切壁１１によって上下２段に仕切られており、上段は冷蔵室２０及び解凍室２５、下段は冷凍室３０という設定になっている。冷蔵室２０及び解凍室２５と、冷凍室３０とは、共に前面（図１において左側）が食品を出し入れするための開口部となっており、この開口部を断熱扉２１、３１が閉ざす。
【００２８】
冷蔵室２０の内部には複数の棚板２２が設けられている。冷蔵室２０の最下部に隣接して断熱構造の解凍室２５がある。解凍室２５は、冷蔵室２０と断熱扉２１を共有する他、独自の断熱扉２６も備えている。
【００２９】
断熱筐体１０の背面部には機械室４０が形成される。機械室４０は板金製の部品を組み合わせて構成された直方体形状の構造物であり、背面側が開口している。この機械室４０の中にスターリング冷凍機５０が設置される。機械室４０は冷蔵室２０と冷凍室３０の間の高さに置かれている。
【００３０】
スターリング冷凍機５０を設置した後、機械室４０の背面側開口を蓋４４で閉ざす。蓋４４には、後述する高温側凝縮器を冷却する空気を取り入れるための通風口４５と、高温側凝縮器冷却後の空気を送風機により強制排出する空冷ダクトの出口を接続するための開口４７が形成されている。
【００３１】
スターリング冷凍機５０の一部は放熱部５１となり、ここに高温側蒸発器６１が取り付けられる（図２参照）。放熱部５１と高温側蒸発器６１は互いの間で熱を授受する状態、すなわち熱接続された状態にある。
【００３２】
スターリング冷凍機５０の上には高温側凝縮器６２が設置される。高温側蒸発器６１と高温側凝縮器６２とは二次冷媒配管で接続され、高温側の二次冷媒循環回路６０を構成する。二次冷媒循環回路６０には水（水溶液を含む）あるいは炭化水素系の冷媒を密封する。高温側蒸発器６１は中空リングを二つに割って合わせた形状であり、半割のリングのそれぞれの内部は互いに独立した蒸発室６１ａとなっている（図３参照）。
【００３３】
スターリング冷凍機５０の他の一部は吸熱部５２となり、ここに低温側凝縮器７１が取り付けられる（図２参照）。吸熱部５２と低温側凝縮器７１は互いの間で熱を授受する状態、すなわち熱接続された状態にある。
【００３４】
冷凍室３０の奥には庫内を冷却する冷却器としての役割を果たす低温側蒸発器７２が設置される。低温側凝縮器７１と低温側蒸発器７２とは二次冷媒配管で接続され、低温側の二次冷媒循環回路７０を構成する。二次冷媒循環回路７０にはＣＯ2などの自然冷媒を封入する。低温側凝縮器７１は単一の中空リング形状であり、内部は凝縮室７１ａとなっている（図３参照）。
【００３５】
断熱筐体１０の内部には、背面側の内壁に沿って垂直方向に延びる冷却ダクト８０、８１が設けられる。冷却ダクト８０は奥側に位置し、冷却ダクト８１はその手前側に位置する。冷却ダクト８０は冷凍室３０の途中までの高さで終わるが、ダクト８１は冷蔵室２０の天井まで続く。
【００３６】
冷却ダクト８０の下端には冷凍室３０から庫内空気を吸い込む吸気口８２が設けられる。吸気口８２の上方には低温側蒸発器７２が設置され、さらにその上方には、冷却ダクト８１に空気を吹き出す送風機８３が設けられる。
【００３７】
冷気は送風機８３により冷却ダクト８１に吹き込まれ、冷却ダクト８１の上方部分（水平仕切壁１１より上の部分）に設けられた吹出口８４を通じて冷蔵室２０に、また冷却ダクト８１の下方部分（水平仕切壁１１より下の部分）に設けられた吹出口８５を通じて冷凍室３０に、それぞれ送り込まれる。ダンパ８６が開いていれば解凍室２５にも冷気が送り込まれる。このようにして冷蔵室２０、解凍室２５、及び冷凍室３０にはそれぞれ所定量の冷気が送り込まれ（または送り込まれず）、冷蔵室２０、解凍室２５、及び冷凍室３０はそれぞれ所定の温度に冷却される。断熱筐体１０の背面上部に設置された制御部１５が上記の運転制御を司る。
【００３８】
冷却庫１の運転を続けていると、庫内の空気中の水分が霜となって低温側蒸発器７２に付着する。霜は低温側蒸発器７２の熱交換効率を低下させるので、制御部１５は適宜のタイミングで霜取りヒータ（図示せず）に通電し、低温側蒸発器７２の除霜を行う。霜が溶けたドレン水は冷却ダクト８０の底部のドレンパン１２０に受けられ、そこからドレンパイプ１２１を通じて庫外に排水される。
【００３９】
断熱筐体１０の底壁の下には蒸発皿空間１３０があり、ここに蒸発皿１３１が設置される。蒸発皿１３１は、ドレンパイプ１２１から滴下するドレン水を最初に受ける第１の蒸発皿１３１ａと、第１の蒸発皿１３１ａから溢れたドレン水を受ける第２の蒸発皿１３１ｂに分割されている。第１の蒸発皿１３１ａは蒸発皿空間１３０の背面寄りの位置に設置され、第２の蒸発皿１３１ｂは蒸発皿空間１３０の前面寄りの位置に設置される。第１の蒸発皿１３１ａは高い位置にあり、第２の蒸発皿１３１ｂはそれより一段と低い位置に設置されている。また、第２の蒸発皿１３１ｂは図１に点線で示すように冷却庫１の前面より引き出して取り外すことが可能であるが、第１の蒸発皿１３１ａは前後にずれないように設置されており、通常は引き出されることはない。
【００４０】
第１の蒸発皿１３１ａは片口の注ぎ口のような形状のオーバーフロー部１３２を前端に有する。第２の蒸発皿１３１ｂを一番奥まで押し込むと、オーバーフロー部１３２は第２の蒸発皿１３１ｂの後端の上に突き出す形になる。このため、オーバーフロー部１３２からドレン水が流れ出すとそのドレン水は第２の蒸発皿１３１ｂに落ちて受け止められるものである。
【００４１】
第１の蒸発皿１３１ａには強制蒸発手段が設けられる。ここでは２種類の強制蒸発手段が用意されている。第１の強制蒸発手段を構成するのは第１の蒸発皿１３１ａの中のドレン水を加熱する熱源である。ここでは高温側蒸発器６１に接続した結露防止配管１１０の一部が熱源となる。結露防止配管１１０は二次冷媒循環回路６０と並列をなすものであり、その途中には二次冷媒を強制循環するためのポンプ１１１が設けられている。図５に見られるように結露防止配管１１０は第１の蒸発皿１３１ａの底面上を蛇行しており、周囲のドレン水に熱を伝える。
【００４２】
第２の強制蒸発手段を構成するのは送風機１３３である。送風機１３３は蒸発皿空間１３０の後端に設置され、第１の蒸発皿１３１ａに斜め上方から風を吹き付ける。
【００４３】
スターリング冷凍機５０を運転する間、結露防止配管１１０は常に第１の蒸発皿１３１ａの中のドレン水に熱を伝え、ドレン水の水温を上昇させて蒸発を促進する。このように熱源をもって蒸発を促進することとすれば、強制蒸発手段を簡単に構成でき、故障も少ない。また、スターリング冷凍機５０の放熱部５１から廃熱を吸収する結露防止配管１１０が熱源を構成するので、ドレン水が強制蒸発されるのに加え、スターリング冷凍機５０も廃熱を処理できることになり、冷却庫１のエネルギー効率がきわめて良くなる。
【００４４】
低温側蒸発器７２に大量の霜が付着していた場合など、ドレン水も大量に発生する。このような大量のドレン水を蒸発させるときは、結露防止配管１１０に送風機１３３を併用する。送風機１３３を駆動してドレン水に風を吹き付けると水面が波立ち、空気に触れる水の表面積が増す。これによりドレン水は効率良く蒸発する。送風機１３３はドレン水に触れないので感電の危険もない。このように結露防止配管１１０からのエネルギーと送風機１３３からのエネルギーを第１の蒸発皿１３１ａに集中することにより、ドレン水を速やかに蒸発させることができる。
【００４５】
結露防止配管１１０と送風機１３３を併用して強制蒸発を行わせたとしても、ドレン水の発生量に蒸発量が追いつかないことがある。その時は、第１の蒸発皿１３１ａの中のドレン水はオーバーフロー部１３２の水準まで達した後、オーバーフロー部１３２から溢れる。溢れた水は第２の蒸発皿１３１ｂに注がれ、第２の蒸発皿１３１ｂがこれを受けるので、ドレン水が床を濡らすといった事態は回避される。
【００４６】
上記のように、第１の蒸発皿１３１ａにエネルギーを集中してドレン水を強制蒸発させたうえで、蒸発しきれなかったドレン水のみを第２の蒸発皿１３１ｂに受けるので、全体としてのドレン水収容量にゆとりを持たせることができる。そして第２の蒸発皿１３１ｂは冷却庫１の前面より引き出して取り外せるから、強制蒸発できなかったドレン水を簡単に処理できる。第１の蒸発皿１３１ａは冷却庫１から引き出し得る構造にする必要がないので、強制蒸発手段である結露防止配管１１０や送風機１３３を容易に組み合わせることができ、機構の信頼性も向上する。
【００４７】
第１の蒸発皿１３１ａと第２の蒸発皿１３１ｂは上下に整列配置することを意識する必要がないので、第１の蒸発皿１３１ａにはそれにふさわしい大きさを、第２の蒸発皿１３１ｂにはそれにふさわしい大きさを、それぞれに設定することができる。
【００４８】
また第１の蒸発皿１３１ａと第２の蒸発皿１３１ｂとは、後者が前者よりも低く且つ前方に位置する形で配置されているので、第１の蒸発皿１３１ａの下と第２の蒸発皿１３１ｂの上にそれぞれ空間が生じている。この空間を様々な構成要素の配置に利用することができる。例えば、第１の蒸発皿１３１ａの下にポンプ１１１を配置するといったことが可能である。
【００４９】
送風機１３３の生成した風は、図６に白抜き矢印で示すようにオーバーフロー部１３２に向かって吹き付けている。このため、ドレン水に浮かんだ塵埃や虫の死骸などのドレン浮遊物はオーバーフロー部１３２に吹き寄せられる。風はドレン水自身にも実線矢印のような水流を生じさせており、オーバーフロー部１３２にドレン浮遊物が一層集まる仕組みになっている。
【００５０】
オーバーフロー部１３２からドレン水が溢れると、吹き寄せられていたドレン浮遊物はドレン水と共に第２の蒸発皿１３１ｂに落下する。このため、取り出して掃除することを意識した構造になっていないにも関わらず、第１の蒸発皿１３１ａを清潔に保つことができる。第２の蒸発皿１３１ｂに流れ落ちたドレン浮遊物は、第２の蒸発皿１３１ｂを引き出してドレン水と共に処理することができる。
【００５１】
なお送風機１３３の生成した風が第２の蒸発皿１３１ｂの中のドレン水にも届くようにすれば、第２の蒸発皿１３１ｂの中のドレン水も風で蒸発が促進され、全体として蒸発が速やかに進む。
【００５２】
次に、本発明の第２実施形態を図７、８に基づき説明する。図７は蒸発皿の上面図、図８は蒸発皿の中のドレン水に生じる水流について説明する上面図である。
【００５３】
第２実施形態は、結露防止配管１１０を第１の強制蒸発手段として用いるのは第１実施形態と同じであるが、第２の強制蒸発手段として、送風機でなく攪拌手段１３４を用いている。攪拌手段１３４は羽根を水車のように組み合わせた形状をしており、第１の蒸発皿１３１ａの左右方向を軸線方向とする回転軸１３５により、下端をドレン水に浸す形で、図７の矢印方向に回転せしめられる。
【００５４】
攪拌手段１３４が回転すると、その羽根でドレン水の水面が叩かれて波立つ。これにより空気に触れる水の表面積が増し、ドレン水は効率良く速やかに蒸発する。
【００５５】
攪拌手段１３４が回転すると、ドレン水の表面に図８のような水流が生じる。第１の蒸発皿１３１ａの中央にはオーバーフロー部１３２に向かう強い水流が生じており、ドレン浮遊物はオーバーフロー部１３２に集められる。ドレン浮遊物は、オーバーフロー部１３２からドレン水が溢れたとき、ドレン水と共に第２の蒸発皿１３１ｂに落下する。このため、取り出して掃除することを意識した構造になっていないにも関わらず、第１の蒸発皿１３１ａを清潔に保つことができる。第２の蒸発皿１３１ｂに流れ落ちたドレン浮遊物は、第２の蒸発皿１３１ｂを引き出してドレン水と共に処理することができる。
【００５６】
以上、本発明の実施形態につき説明したが、本発明の範囲はこれに限定されるものではなく、発明の主旨を逸脱しない範囲で種々の変更を加えて実施することができる。例えば、二次冷媒循環回路を熱源とする代わりに電熱ヒータを熱源とすることもできる。あるいは、第２実施形態の構成にさらに送風機を追加してもよい。
【産業上の利用可能性】
【００５７】
本発明は家庭用又は業務用の冷却庫に広く利用可能である。
【図面の簡単な説明】
【００５８】
【図１】本発明の第１実施形態に係る冷却庫の垂直断面図
【図２】冷却サイクルの概略構成図
【図３】二次冷媒の流れ方の説明図
【図４】結露防止配管の引き回し形態を説明する斜視図
【図５】蒸発皿の上面図
【図６】蒸発皿の中のドレン水に生じる水流について説明する上面図
【図７】本発明の第２実施形態に係る冷却庫の蒸発皿の上面図
【図８】第２実施形態に係る蒸発皿の中のドレン水に生じる水流について説明する上面図
【符号の説明】
【００５９】
１    冷却庫
１０  断熱筐体
２０  冷蔵室
３０  冷凍室
４０  機械室
５０  スターリング冷凍機
５１  放熱部
５２  吸熱部
６０  二次冷媒循環回路
６１  高温側蒸発器
６２  高温側凝縮器
７１  低温側凝縮器
７２  低温側蒸発器（冷却器）
１１０  結露防止配管（強制蒸発手段）
１２０  ドレンパン
１３０  蒸発皿空間
１３１  蒸発皿
１３１ａ  第１の蒸発皿
１３１ｂ  第２の蒸発皿
１３２  オーバーフロー部
１３３  送風機
１３４  攪拌手段
【図１】
2006138492.tif 000003
【図２】
2006138492.tif 000004
【図３】
2006138492.tif 000005
【図４】
2006138492.tif 000006
【図５】
2006138492.tif 000007
【図６】
2006138492.tif 000008
【図７】
2006138492.tif 000009
【図８】
2006138492.tif 000010